【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
遊技中に所定事象が発生したことを検出する検出手段と、
前記検出手段により所定事象の発生が検出されたことを契機として内部抽選を実行する内部抽選手段と、
前記内部抽選が行われると、これを契機として図柄を変動表示させた後に前記内部抽選の結果を表す態様で図柄を停止表示させる図柄表示手段と、
前記図柄表示手段による図柄の変動表示について、その変動パターンを予め複数通りに用意する変動パターン規定手段と、
前記複数通りに用意された変動パターンのうち、その一部を基本変動パターングループとして分類し、この基本変動パターングループに属する個々の変動パターンを予め複数の基本区分に分けて記憶するとともに、前記基本区分とは別に用意された特定区分に対して前記基本変動パターングループとは別の特定変動パターングループの指定を割り当てて記憶する基本変動パターン記憶手段と、
前記複数通りに用意された変動パターンのうち、前記基本変動パターングループに分類されたもの以外を前記特定変動パターングループとして分類し、この特定変動パターングループに属する個々の変動パターンを予め複数の基本区分に分けて記憶する特定変動パターン記憶手段と、
前記図柄表示手段により図柄の変動表示を実行するに際して、前記基本変動パターン記憶手段に記憶された複数の前記基本区分及び前記特定区分の中からいずれかの区分を選択する区分選択手段と、
前記区分選択手段により前記基本区分のいずれか１つが選択された場合、その選択された前記基本区分の中からいずれか１つの変動パターンを決定する第１の変動パターン決定手段と、
前記区分選択手段により前記基本区分ではなく前記特定区分が選択された場合、前記特定変動パターン記憶手段に記憶された複数の前記基本区分の中からいずれかの区分を選択し、その選択した前記基本区分の中からいずれか１つの変動パターンを決定する第２の変動パターン決定手段とを備えたことを特徴とする遊技機。
【請求項２】
請求項１に記載の遊技機において、
前記変動パターン規定手段は、
個々の変動パターンを第１の属性値及び第２の属性値の組み合わせとして規定するものであり、
前記第１の属性値は、前記基本変動パターン記憶手段又は前記特定変動パターン記憶手段に記憶された前記基本区分のいずれかを表し、
前記第２の属性値は、前記基本区分に含まれる個々の変動パターンのいずれかを表すものであることを特徴とする遊技機。
【請求項３】
請求項２に記載の遊技機において、
前記基本変動パターン記憶手段は、
複数の前記基本区分のいずれかを表すものとして前記第１の属性値を複数通りに記憶するとともに、前記特定区分を表すものとして前記第１の属性値に含まれない特定値を記憶しており、
前記区分選択手段は、
複数通りに記憶された前記第１の属性値の中から１つを選択するか、もしくはそれ以外の前記特定値を選択することを特徴とする遊技機。
【請求項４】
請求項１から３のいずれかに記載の遊技機において、
前記第１又は第２の変動パターン決定手段により決定された変動パターンに基づいて、前記図柄表示手段により図柄を変動表示させる変動時間を設定する変動時間設定手段と、
前記図柄表示手段により図柄の変動表示が行われると、前記変動時間設定手段により設定された変動時間内で複数の演出図柄を用いた変動表示演出を実行する演出実行手段と、
前記演出実行手段により実行される演出図柄を用いた変動表示演出の内容を前記第１又は第２の変動パターン決定手段により決定された変動パターンに基づいて制御する演出制御手段とをさらに備え、
前記複数通りの変動パターンには、
前記演出図柄を用いた変動表示演出として、前記内部抽選の結果が当選である場合に停止表示されるべき演出図柄の組み合わせ態様を部分的に構成した状態で変動表示させるリーチ変動演出に対応するものが含まれていることを特徴とする遊技機。
【請求項５】
請求項４に記載の遊技機において、
前記第１の変動パターン決定手段により決定される変動パターンに比較して、前記第２の変動パターン決定手段により決定される変動パターンの方に前記リーチ変動演出に対応するものがより多く含まれることを特徴とする遊技機。
【手続補正２】
【補正対象書類名】明細書
【補正対象項目名】００１０
【補正方法】変更
【補正の内容】
【００１０】
本発明は、上記の課題を解決するため以下の手段を採用する。
解決手段Ｄ１：本発明は、遊技中に所定事象が発生したことを検出する検出手段と、検出手段により所定事象の発生が検出されたことを契機として内部抽選を実行する内部抽選手段と、内部抽選が行われると、これを契機として図柄を変動表示させた後に内部抽選の結果を表す態様で図柄を停止表示させる図柄表示手段と、図柄表示手段による図柄の変動表示について、その変動パターンを予め複数通りに用意する変動パターン規定手段と、複数通りに用意された変動パターンのうち、その一部を基本変動パターングループとして分類し、この基本変動パターングループに属する個々の変動パターンを予め複数の基本区分に分けて記憶するとともに、基本区分とは別に用意された特定区分に対して基本変動パターングループとは別の特定変動パターングループの指定を割り当てて記憶する基本変動パターン記憶手段と、複数通りに用意された変動パターンのうち、基本変動パターングループに分類されたもの以外を特定変動パターングループとして分類し、この特定変動パターングループに属する個々の変動パターンを予め複数の基本区分に分けて記憶する特定変動パターン記憶手段と、図柄表示手段により図柄の変動表示を実行するに際して、基本変動パターン記憶手段に記憶された複数の基本区分及び特定区分の中からいずれかの区分を選択する区分選択手段と、区分選択手段により基本区分のいずれか１つが選択された場合、その選択された基本区分の中からいずれか１つの変動パターンを決定する第１の変動パターン決定手段と、区分選択手段により基本区分ではなく特定区分が選択された場合、特定変動パターン記憶手段に記憶された複数の基本区分の中からいずれかの区分を選択し、その選択した基本区分の中からいずれか１つの変動パターンを決定する第２の変動パターン決定手段とを備えた遊技機である。
本発明における選択処理では、最初に「基本区分」か「特定区分」かの選択を行い、「基本区分」を選択した場合はその「基本区分」の中から基本変動パターングループに属する変動パターンを選択する。一方、「特定区分」を選択した場合は、別の特定変動パターングループ全体が選ばれたことを察知し、改めて特定変動パターングループについて定めた「基本区分」を選択して、最終的に特定変動パターングループに属する変動パターンを選択する。このため、たとえ予め膨大な数の変動パターンが用意されていても、これら全てを一度に（例えば、１つの変動パターンアドレス選択テーブルで）区分せずに分散して記憶することができる。したがって、選択処理で最初に用いる区分（基本区分、特定区分）の数を少なく抑えることができることから、選択処理に際して、例えば、選択比率の高い区分ばかりが選択されてしまうことがなく、区分ごとの選択の偏りを少なくすることができる。
本発明によれば、予め多数の変動パターンを用意しておいても、選択処理によって偏りなく変動パターンを選択することができる。このため、それぞれの変動パターンに対応して多種多様な演出を無駄なく実行することができるし、遊技者に対して見せたい確率で色々なリーチ変動演出を実行することができる。このように、多種多様な演出を備えた遊技機は、遊技者にとって魅力的な存在であり、本来の大当りとは別に演出の内容を楽しむことを目的として遊技意欲を沸き立たせたり、実際に希少な演出内容を目撃した遊技者に対して、大きな満足感を与えたりすることができる。
解決手段Ｄ２：解決手段Ｄ１において、前記変動パターン規定手段は、個々の変動パターンを第１の属性値及び第２の属性値の組み合わせとして規定するものであり、前記第１の属性値は、前記基本変動パターン記憶手段又は前記特定変動パターン記憶手段に記憶された前記基本区分のいずれかを表し、前記第２の属性値は、前記基本区分に含まれる個々の変動パターンのいずれかを表すものであることを特徴とする遊技機。
解決手段Ｄ３：解決手段Ｄ２において、前記基本変動パターン記憶手段は、複数の前記基本区分のいずれかを表すものとして前記第１の属性値を複数通りに記憶するとともに、前記特定区分を表すものとして前記第１の属性値に含まれない特定値を記憶しており、前記区分選択手段は、複数通りに記憶された前記第１の属性値の中から１つを選択するか、もしくはそれ以外の前記特定値を選択する。
解決手段Ｄ４：解決手段Ｄ１からＤ３のいずれかにおいて、下記の解決手段７の構成を採用してもよい。
解決手段Ｄ５：解決手段Ｄ４において、下記の解決手段８の構成を採用してもよい。
また本発明は、上記の課題を解決するため以下の手段を採用する。
解決手段１：本発明は、遊技中に所定事象が発生したことを検出する検出手段と、検出手段により所定事象の発生が検出されたことを契機として抽選要素を取得する抽選要素取得手段と、抽選要素を用いて遊技者の利益に関わる内部抽選を実行する内部抽選手段と、内部抽選が行われると、これを契機として図柄を変動表示させた後に内部抽選の結果を表す態様で図柄を停止表示させる図柄表示手段と、図柄表示手段による図柄の変動表示について、その変動パターンを予め複数通りに用意する変動パターン規定手段と、複数通りに用意された変動パターンのうち、その一部を基本変動パターングループとして分類し、この基本変動パターングループに属する個々の変動パターンを予め複数の基本区分に分けて記憶するとともに、これら基本区分とは別に用意された特定区分に対して基本変動パターングループとは別の特定変動パターングループの指定を割り当てて記憶する基本変動パターン記憶手段と、複数通りに用意された変動パターンのうち、基本変動パターングループに分類されたもの以外を特定変動パターングループとして分類し、この特定変動パターングループに属する個々の変動パターンを予め複数の基本区分に分けて記憶する特定変動パターン記憶手段と、内部抽選が行われた結果、図柄表示手段により図柄の変動表示を開始するに際して第１の変動パターン決定要素及び第２の変動パターン決定要素をそれぞれ取得する変動パターン決定要素取得手段と、第１の変動パターン決定要素に基づいて、基本変動パターン記憶手段に記憶された複数の基本区分及び特定区分の中からいずれかの区分を選択する区分選択手段と、区分選択手段により基本区分のいずれか１つが選択された場合、その選択された基本区分の中から第２の変動パターン決定要素に基づいていずれか１つの変動パターンを決定する第１の変動パターン決定手段と、区分選択手段により基本区分ではなく特定区分が選択された場合、改めて第１の変動パターン決定要素に基づいて、特定変動パターン記憶手段に記憶された複数の基本区分の中からいずれかの区分を選択し、その選択した基本区分の中から第２の変動パターン決定要素に基づいていずれか１つの変動パターンを決定する第２の変動パターン決定手段とを備えた遊技機である。
【手続補正３】
【補正対象書類名】明細書
【補正対象項目名】００３３
【補正方法】変更
【補正の内容】
【００３３】
本発明によれば、予め多数の変動パターンを用意しておいても、選択処理によって偏りなく変動パターンを選択することができる。